(57)【要約】【課題】噴出ポンプの操作時に、揮散体から揮散された揮散剤が手に付着することを防止することができる揮散容器を提供する。【解決手段】アダプター部材２０の側面に、噴出ポンプ３０の噴出口３８と同一方向に向けて開口する口元２５部を設け、吸上げ芯４０の芯本体部４２を容器本体１０内に配置するとともに接触部４１を口元部２５から外部に突出させ、容器本体１０に装着されるカバー体５０を、通気孔５７が噴出口３８とは異なる方向を向く非揮散姿勢と通気孔５７が噴出口３８と同一方向を向く揮散姿勢とに姿勢変更可能とし、カバー体５０の内部に、カバー体５０が非揮散姿勢となったときは吸上げ芯４０の接触部４１から離れ、カバー体５０が揮散姿勢となったときに吸上げ芯４０の接触部４１に接触する揮散体６０を装着する。【選択図】図１
2015195829.tif 000002
【特許請求の範囲】
【請求項１】
口部を備える容器本体と、
一端において前記容器本体の口部に装着される筒状のアダプター部材と、
前記アダプター部材の他端に装着され、ヘッド部の押し下げにより作動して前記容器本体内の揮散剤を該ヘッド部に設けられた噴出口から噴出させる噴出ポンプと、
前記アダプター部材の側面に設けられ、前記噴出ポンプの噴出口と同一方向に向けて開口する口元部と、
前記容器本体内に配置される芯本体部と、前記口元部から外部に突出する接触部とを備える吸上げ芯と、
前記容器本体に装着され、前面に設けられた通気孔が前記噴出口とは異なる方向を向く非揮散姿勢と前記通気孔が前記噴出口と同一方向を向く揮散姿勢とに姿勢変更可能なカバー体と、
前記カバー体の内部に装着され、該カバー体が前記非揮散姿勢となったときは前記吸上げ芯の接触部から離れ、前記カバー体が前記揮散姿勢となったときに前記吸上げ芯の接触部に接触する揮散体と、を有することを特徴とする揮散容器。
【請求項２】
前記カバー体が前記非揮散姿勢とされたときに前記口元部に装着されて該口元部を閉塞するキャップを有する、請求項１に記載の揮散容器。
【請求項３】
前記吸上げ芯が紐状に形成されている、請求項１または２に記載の揮散容器。
【請求項４】
前記カバー体が前記口部の軸心を中心として前記容器本体に対して前記非揮散姿勢と前記揮散姿勢との間で回動自在である、請求項１〜３の何れか１項に記載の揮散容器。
【発明の詳細な説明】
【技術分野】
【０００１】
本発明は、容器本体内の揮散剤を吸上げ芯で吸い上げて揮散体から揮散させる揮散機能と、容器本体内の揮散剤を噴出ポンプで吸い上げて噴出口から噴出する噴出機能とを備えた揮散容器に関する。
【背景技術】
【０００２】
芳香剤や消臭剤、殺虫剤等の液状の揮散剤を収容する揮散容器としては、容器本体内の揮散剤を吸上げ芯で吸い上げて揮散体から外部に揮散させる据え置きタイプのものが多く用いられているが、このような据え置きタイプとしての使用形態に加えて、容器本体内の揮散剤を噴出ポンプによって外部に噴出させることもできるようにした、所謂ツーウェイタイプのものが知られている。
【０００３】
例えば特許文献１には、揮散剤を収容する容器本体の口部にアダプター部材を介して噴出ポンプを装着し、この噴出ポンプのヘッド部の押し下げにより容器本体内の揮散剤を噴出口から噴出させる構成とするとともに、アダプター部材の内部に揮散体を配置し、容器本体内に配置された吸上げ芯から吸い上げられた揮散剤を揮散体から外部に揮散させるようにしたツーウェイタイプの揮散容器が記載されている。
【先行技術文献】
【特許文献】
【０００４】
【特許文献１】特開２００８−３０１９１６号公報
【発明の概要】
【発明が解決しようとする課題】
【０００５】
このような揮散容器に用いられる芳香剤等の揮散剤は匂いが強く、手に付着すると匂いが移るおそれがある。そのため、噴出ポンプに液漏れ防止機能を設けて、揮散剤の手への付着を防止するようにしている。
しかしながら、従来の揮散容器では、揮散体を容器本体の外周に対応した円環状に形成し、この揮散体から揮散された揮散剤をアダプター部材の外周壁に設けられた複数の通気孔やカバー体とアダプター部材の隙間等を通して、当該容器の全周方向に分散させるようにしているので、噴出ポンプを用いて揮散剤を噴出させる際に、通気孔やカバー体とアダプター部材との隙間を通って外部に分散される揮散剤が、揮散容器を保持する手に付着し、その匂いが手に移るおそれがあった。
【０００６】
本発明は、このような点を解決することを課題とするものであり、その目的は、揮散体による揮散機能と噴出ポンプによる噴出機能とを有するツーウェイタイプの揮散容器において、噴出ポンプの操作時に、揮散体から揮散された揮散剤が手に付着することを防止することができる揮散容器を提供することにある。
【課題を解決するための手段】
【０００７】
本発明の揮散容器は、口部を備える容器本体と、一端において前記容器本体の口部に装着される筒状のアダプター部材と、前記アダプター部材の他端に装着され、ヘッド部の押し下げにより作動して前記容器本体内の揮散剤を該ヘッド部に設けられた噴出口から噴出させる噴出ポンプと、前記アダプター部材の側面に設けられ、前記噴出ポンプの噴出口と同一方向に向けて開口する口元部と、前記容器本体内に配置される芯本体部と、前記口元部から外部に突出する接触部とを備える吸上げ芯と、前記容器本体に装着され、前面に設けられた通気孔が前記噴出口とは異なる方向を向く非揮散姿勢と前記通気孔が前記噴出口と同一方向を向く揮散姿勢とに姿勢変更可能なカバー体と、前記カバー体の内部に装着され、該カバー体が前記非揮散姿勢となったときは前記吸上げ芯の接触部から離れ、前記カバー体が前記揮散姿勢となったときに前記吸上げ芯の接触部に接触する揮散体と、を有することを特徴とする。
【０００８】
本発明は、上記構成において、前記カバー体が前記非揮散姿勢とされたときに前記口元部に装着されて該口元部を閉塞するキャップを有するのが好ましい。
【０００９】
本発明は、上記構成において、前記吸上げ芯が紐状に形成されているのが好ましい。
【００１０】
本発明は、上記構成において、前記カバー体が前記口部の軸心を中心として前記容器本体に対して前記非揮散姿勢と前記揮散姿勢との間で回動自在であるのが好ましい。
【発明の効果】
【００１１】
本発明によれば、揮散体から揮散剤を揮散させる際には、カバー体の前面に設けられた通気孔は噴出ポンプの噴出口と同一方向を向くので、噴出ポンプを用いて揮散剤を噴出させる際に通気孔を避けて揮散容器を手で保持することができる。これにより、噴出ポンプの操作時に揮散体から揮散された揮散剤が手に付着することを防止することができる。
【図面の簡単な説明】
【００１２】
【図１】本発明の一実施の形態である揮散容器の、カバー体が揮散姿勢とされた状態における側面図を、その一部を断面として示した図である。
【図２】（ａ）は図１に示す揮散容器の平面図であり、（ｂ）は図１に示す揮散容器の正面図である。
【図３】図１に示す揮散容器の、カバー体が非揮散姿勢とされた状態における側面図を、その一部を断面として示した図である。
【発明を実施するための形態】
【００１３】
以下、図面を参照して、本発明をより具体的に例示説明する。
【００１４】
図１に示すように、本発明の一実施の形態である揮散容器１は容器本体１０を有している。容器本体１０は、円筒状の口部１１と、口部１１に肩部１２を介して連なる胴部１３とを備えたボトル状に形成され、その内部に芳香剤や消臭剤、殺虫剤等の液状の揮散剤（不図示）を収容することができる。図２（ａ）に示すように、容器本体１０は、その胴部１３が、円筒状の外周面を有するとともに当該外周面の一部分（図１中では左側を向く部分）が平坦面となった平面視でＤ字形状の外形に形成されている。この容器本体１０は、例えば樹脂製とすることができる。
【００１５】
図１に示すように、容器本体１０の口部１１にはアダプター部材２０が装着されている。このアダプター部材２０は、例えば樹脂材料により略円筒状に形成され、その一端側（図１中下端側）は円筒状の装着部２１となっている。装着部２１の内周面には雌ねじ２２が一体に設けられ、この雌ねじ２２が容器本体１０の口部１１の外周面に形成された雄ねじ１４にねじ結合することにより、アダプター部材２０はその一端において容器本体１０の口部１１に固定されている。
【００１６】
なお、装着部２１の内周側には環状のシール片２３が一体に設けられ、このシール片２３が口部１１の内周面に当接することにより、口部１１と装着部２１との隙間からの液漏れが防止されるようになっている。
【００１７】
アダプター部材２０の他端（図１中上端）には噴出ポンプ３０が装着されている。この噴出ポンプ３０は、円筒状のポンプ装着筒部３１と、このポンプ装着筒部３１に支持されるポンプ本体３２とを有している。ポンプ装着筒部３１は、その内周面に雌ねじ３３を備え、この雌ねじ３３がアダプター部材２０の上端外周面に一体に設けられた雄ねじ２４にねじ結合することにより、アダプター部材２０の他端（図１中上端）に固定されている。ポンプ本体３２は筒状のシリンダ３４およびシリンダ３４内に配置されたピストン３５等を備え、アダプター部材２０に固定されたポンプ装着筒部３１に支持されて容器本体１０の口部１１の軸線上に配置されている。また、ポンプ本体３２は、シリンダ３４の上方に配置されてピストン３５に連なるヘッド部３６を備え、このヘッド部３６が下方に向けて押し下げられることにより作動するようになっている。ポンプ本体３２が作動すると、容器本体１０内に収容された揮散剤がシリンダ３４の下端に接続された吸上げチューブ３７を通してポンプ本体３２により吸い上げられ、ヘッド部３６の側方に設けられた噴出口３８から外部に向けて霧状に噴出される。また、ポンプ装着筒部３１の上面には支持筒３９が一体に設けられ、この支持筒３９により上下動するヘッド部３６が支持されるようになっている。
【００１８】
なお、噴出ポンプ３０としては、上記構成のものに限らず、ヘッド部３６の押し下げにより容器本体１０内の揮散剤をヘッド部３６に設けた噴出口３８から外部に噴出させることができる構成のものであれば、種々のタイプのものを用いることができる。
【００１９】
噴出ポンプ３０には、図示しない回り止め機構が設けられ、ヘッド部３６の側面に設けられる噴出口３８は、常に図１中で右側つまり容器本体１０の胴部１３の平坦面となる側とは反対側に向くようにされている。
【００２０】
アダプター部材２０の側面には、径方向外側に向けて突出する円筒状の口元部２５が一体に設けられている。この口元部２５は、図１中で右側つまり噴出ポンプ３０の噴出口３８と同一方向に向けて開口するとともに、アダプター部材２０の内部と口部１１とを介して容器本体１０の内部に連通している。また、口元部２５の内周面には、軸方向に沿って延びる複数のリブ２６が周方向に間隔を空けて並べて設けられている。
【００２１】
この揮散容器１には、容器本体１０内の揮散剤を口元部２５にまで吸い上げるために、吸上げ芯４０が設けられている。図示する場合では、吸上げ芯４０は、例えばフェルト、不織布、濾紙等の吸水性素材により断面円形の細長い紐状に形成されている。この吸上げ芯４０は、その一端が口元部２５に挿入された状態でアダプター部材２０に保持されている。つまり、口元部２５に挿入された吸上げ芯４０は、その外周面に口元部２５の内周のリブ２６が食い込むことにより口元部２５に保持されている。
【００２２】
口元部２５に挿入された吸上げ芯４０の先端は、口元部２５の開口から外部に向けて突出しており、その外部に突出した吸上げ芯４０の先端部分は接触部４１となっている。一方、吸上げ芯４０の容器本体１０の内部に配置された部分は芯本体部４２となっており、この芯本体部４２は口元部２５から容器本体１０の底部１５に向けて垂れ下げられている。このような吸上げ芯４０は、容器本体１０内の揮散剤を芯本体部４２で吸収し、これを接触部４１にまで吸い上げることができる。
【００２３】
容器本体１０にはカバー体５０が装着されている。図２からも解るように、このカバー体５０は、噴出ポンプ３０のポンプ装着筒部３１の上面に配置される天壁５１、容器本体１０の底部１５の下面に配置される底壁５２、それぞれ天壁５１の側部と底壁５２の側部とを連ねる一対の側壁５３および天壁５１の前部と底壁５２の前部とを連ねる前面壁５４を備えている。つまり、カバー体５０は、その背面側が開口する長方形状の箱型に形成されている。
【００２４】
カバー体５０の天壁５１には、ポンプ装着筒部３１の上面に設けられた支持筒３９に対応した形状の円形の係合孔５５が設けられている。この係合孔５５は、このカバー体の背面側に開口する開放口５６を有し、この開放口５６の開口幅は支持筒３９の外径よりも僅かに小さくされている。これにより、カバー体５０は、この係合孔５５の開放口５６を拡大方向に弾性変形させながら支持筒３９に押し込むことで、支持筒３９を係合孔５５に係合させた状態で容器本体１０に装着されている。また、カバー体５０は、係合孔５５と支持筒３９つまり容器本体１０の口部１１の軸心を中心として、容器本体１０に対して、図１、図２に示す揮散姿勢と図３に示す非揮散姿勢との間で回動自在となっている。
【００２５】
図２（ｂ）に示すように、カバー体５０の前面壁５４には複数の通気孔５７が設けられている。図示する場合では、上下方向に延びる長孔形状の３本の通気孔５７が前面壁５４の容器本体１０の肩部１２よりも上方側の部分に横方向に並べて設けられている。これらの通気孔５７はカバー体５０の内側と外側とを連通させる貫通孔となっている。
【００２６】
図１に示すように、カバー体５０の前面壁５４の内側には揮散体６０が装着されている。この揮散体６０は、例えばフェルト、不織布、濾紙等の吸水性素材により所定の厚みを有する矩形の板状であって、その両側部がコの字に曲げられた形状に形成されており、前面壁５４の内面に設けられた支持壁５８と天壁５１との間に嵌め込まれ、前面壁５４に対して隙間を空けた状態で、前面壁５４に設けられた３本の通気孔５７を覆うようにカバー体５０に支持されている。
【００２７】
この揮散容器１は、カバー体５０の容器本体１０に対する装着姿勢が非揮散姿勢とされることにより、揮散体６０から揮散剤が揮散されない非揮散状態とされる。一方、この揮散容器１は、カバー体５０の容器本体１０に対する装着姿勢が揮散姿勢とされることにより、揮散体６０から揮散剤が揮散される揮散状態とされる。このように、この揮散容器１は、容器本体１０へのカバー体５０の装着姿勢を変更することにより、揮散剤の揮散の有無を容易に切り替えることができるようになっている。
【００２８】
より具体的に説明すると、図３に示すように、カバー体５０が、その前面壁５４に設けられる通気孔５７が噴出ポンプ３０の噴出口３８とは異なる方向を向く非揮散姿勢とされたときには、カバー体５０に装着された揮散体６０が口元部２５から突出する吸上げ芯４０の接触部４１から離れ、揮散体６０は揮散剤が供給されない状態とされる。これにより、揮散容器１は揮散体６０から揮散剤が揮散されない非揮散状態とされる。本実施の形態では、カバー体５０の前面壁５４に設けられる通気孔５７が噴出ポンプ３０の噴出口３８とは反対方向を向いたときに、カバー体５０が非揮散姿勢となるようにしているが、カバー体５０を非揮散姿勢とする通気孔５７の方向は、噴出ポンプ３０の噴出口３８と異なる方向であれば、噴出口３８と反対の方向に限らず種々の方向とすることもできる。
【００２９】
なお、カバー体５０が非揮散姿勢とされたときには、口元部２５にキャップ２７が装着される。図３に示す場合では、キャップ２７はねじ込み式とされ、口元部２５の外周面に形成された雄ねじ２８にねじ結合して口元部２５の開口を閉塞する。このように、口元部２５の開口をキャップ２７で閉塞することにより、吸上げ芯４０の接触部４１から外部に向けて揮散剤が揮散されたり、または吸上げ芯４０の接触部４１から揮散剤が垂れ落ちたりすることを防止することができる。
【００３０】
このように、カバー体５０を非揮散姿勢とし、口元部２５の開口をキャップ２７で閉塞した状態とすることにより、例えば、流通時や不使用時等において、長期間に亘って揮散体６０や吸上げ芯４０から外部に向けて揮散剤が揮散されない状態に維持することができる。
【００３１】
これに対し、図３に示す状態から、口元部２５のキャップ２７を取り外すとともに、容器本体１０に対して口部１１の軸心を中心としてカバー体５０を回動させ、その容器本体１０に対する装着姿勢を反対向き、つまり、図１に示すよう、前面壁５４に設けられる通気孔５７が噴出ポンプ３０の噴出口３８と同一方向を向く揮散姿勢とすることにより、容器本体１０に収容された揮散剤を揮散体６０から外部に揮散させる揮散状態とすることができる。カバー体５０が、その前面壁５４に設けられる通気孔５７が噴出ポンプ３０の噴出口３８と同一方向を向く揮散姿勢とされると、カバー体５０に装着された揮散体６０が、口元部２５から突出する吸上げ芯４０の接触部４１に接触し、吸上げ芯４０によって容器本体１０内から吸い上げられた揮散剤が接触部４１から揮散体６０に移動して、揮散体６０からの揮散剤の揮散が開始される。そして、揮散体６０から揮散された揮散剤はカバー体５０の前面壁５４の通気孔５７から外部に向けて分散する。
【００３２】
このように、消費者等は、口元部２５のキャップ２７を取り外し、カバー体５０を流通時等とは反対向きとなる揮散姿勢にまで回転させるだけの簡単な操作で、揮散体６０からの揮散剤の揮散を開始させることができる。また、不使用時には、再度カバー体５０を回転させて当該カバー体５０を非揮散姿勢とし、口元部２５にキャップ２７を取り付けることで、容易に揮散体６０からの揮散剤の揮散を停止させて非揮散状態に戻すことができる。
【００３３】
一方、この揮散容器１には噴出ポンプ３０が設けられているので、この噴出ポンプ３０を作動させることにより、容器本体１０内の揮散剤を噴出口３８から外部に噴出させることができる。噴出ポンプ３０による揮散剤の噴出は、例えば、揮散容器１を手で保持し、噴出ポンプ３０のヘッド部３６を人差し指等で押し下げ操作することにより行うことができる。噴出ポンプ３０を用いた揮散剤の噴出は、カバー体５０を非揮散姿勢とした状態およびカバー体５０を揮散姿勢とした状態の何れの場合においても行うことができる。
【００３４】
このとき、カバー体５０が揮散姿勢とされ、揮散体６０から揮散剤が揮散されている状態では、カバー体５０の通気孔５７は噴出ポンプ３０の噴出口３８と同一方向に向けられているので、噴出ポンプ３０を操作するために揮散容器１を手で保持しても、揮散容器１を保持する手はカバー体５０の背面側から側壁５３を保持することになり、カバー体５０の前面壁５４に設けられた通気孔５７に被さることがない。したがって、揮散体６０から揮散剤が揮散されている状態においても、揮散体６０から揮散される揮散剤を手に付着させることなく、当該噴出ポンプ３０を操作して噴出口３８から外部に向けて揮散剤を噴出させることができる。
【００３５】
本発明は前記実施の形態に限定されるものではなく、その要旨を逸脱しない範囲で種々変更可能であることはいうまでもない。
【００３６】
例えば、前記実施の形態においては、カバー体５０を長方形状の箱型に形成するようにしているが、これに限らず、容器本体１０に回動可能に装着され、且つ通気孔５７を設けることができるものであれば、種々の形状とすることができる。
【００３７】
また、前記実施の形態においては、カバー体を容器本体に回動自在に装着し、当該回動により容器本体１０への装着姿勢を非揮散姿勢と揮散姿勢に切り替えるようにしているが、これに限らず、カバー体５０を容器本体１０に対して着脱自在とし、カバー体５０を容器本体１０から取り外してから、非揮散姿勢または揮散姿勢で容器本体１０に装着することにより当該装着姿勢を切り替える構成とすることもできる。この場合、容器本体１０の胴部１３を、平面視で矩形形状となるものとすることができる。
【００３８】
さらに、前記実施の形態においては、揮散体６０の形状を矩形の板状であって、その両側部がコの字に曲げられた形状としているが、これに限らず、吸上げ芯４０の接触部４１と接続されて揮散剤を揮散することができる形状であれば、種々の形状とすることができる。
【００３９】
さらに、前記実施の形態においては、吸上げ芯４０は紐状とされているが、これに限らず、例えば、芯本体部４２がポンプ本体３２の外周を取り巻く円筒状に形成され、当該芯本体部４２から棒状の接触部４１が突出した形状など、容器本体１０内に収容された揮散剤を吸い上げて口元部２５を介して揮散体６０に揮散剤を供給することができる構成であれば、種々の形状とすることができる。
【符号の説明】
【００４０】
１  揮散容器
１０  容器本体
１１  口部
１２  肩部
１３  胴部
１４  雄ねじ
１５  底部
２０  アダプター部材
２１  装着部
２２  雌ねじ
２３  シール片
２４  雄ねじ
２５  口元部
２６  リブ
２７  キャップ
２８  雄ねじ
３０  噴出ポンプ
３１  ポンプ装着筒部
３２  ポンプ本体
３３  雌ねじ
３４  シリンダ
３５  ピストン
３６  ヘッド部
３７  吸上げチューブ
３８  噴出口
３９  支持筒
４０  吸上げ芯
４１  接触部
４２  芯本体部
５０  カバー体
５１  天壁
５２  底壁
５３  側壁
５４  前面壁
５５  係合孔
５６  開放口
５７  通気孔
５８  支持壁
６０  揮散体
【図１】
2015195829.tif 000003
【図２】
2015195829.tif 000004
【図３】
2015195829.tif 000005